(57)【要約】【課題】複数のポンプのピストンの駆動位相を等分化してうなり音やうなり振動の発生を低減すると共に、経済性に優れたポンプ構造を実現すること。【解決手段】クランクギア１０６，２０６と、クランクギア１０６，２０６の中心軸を偏心して回転する円柱カム１０７，２０７と、円柱カム１０７，２０７に取り付けられたコンロッド１０５，２０５と、コンロッド１０５，２０５に連接されたピストン１０４，２０４と、を有するポンプを、少なくとも２つ以上配設した洗浄用ポンプにおいて、ピストン１０４，２０４は、吸い込み・吐き出しの位置が、それぞれ、１サイクル（３６０度）／ポンプ数ｎずつずらした等分配置されているものである。【選択図】　　　図１
2004144022.tif 000002
【特許請求の範囲】
【請求項１】
クランクギアと、前記クランクギアの中心軸を偏心して回転するカムと、前記カムに取り付けられたコンロッドと、前記コンロッドに連接されたピストンと、を有するポンプを、少なくとも２つ以上配設した洗浄用ポンプにおいて、
前記ピストンは、吸い込み・吐き出しの位置が、それぞれ、１サイクル（３６０度）／ポンプ数ｎずつずらした等分配置されていることを特徴とする洗浄器用ポンプ。
【請求項２】
並設された２基のポンプと、１つの駆動源と、前記駆動源の出力に設けられた駆動ギアと、を備え、
前記ポンプそれぞれのクランクギア間に、前記駆動源の駆動ギアを噛合させたことを特徴とする請求項１に記載の洗浄器用ポンプ。
【請求項３】
並設された２基のポンプと、１つの駆動源と、前記駆動源の出力に設けられた駆動ギアと、を備え、
前記ポンプそれぞれのクランクギアを噛み合わせ、前記クランクギアのいずれか一方側に、前記駆動源の駆動ギアを噛合させたことを特徴とする請求項１に記載の洗浄器用ポンプ。
【請求項４】
対向して配置された２基のポンプと、１つの駆動源と、前記駆動源の出力に設けられた駆動ギアと、前記２基のポンプに連接される１つのクランクギアと、前記クランクギアの中心軸上に設けられた前記カムと、を備え、前記クランクギアに前記駆動源の駆動ギアを噛合させ、さらに前記２基のポンプのピストンそれぞれのコンロッドを前記カムに取り付けたことを特徴とする請求項１に記載の洗浄器用ポンプ。
【請求項５】
放射状に対向して配置された３基のポンプと、１つの駆動源と、１つのクランクギアと、前記クランクギアの中心軸上に設けられた前記カムと、を備え、
前記クランクギアに前記駆動源の駆動ギアを噛み合わせ、前記クランクギアを介して対向する前記３基のポンプのピストンそれぞれを前記コンロッドを介して駆動するように構成したことを特徴とする請求項１に記載の洗浄器用ポンプ。
【請求項６】
頭皮などを洗浄する場合に用いられ、洗浄用水を、ピストンがシリンダ内を移動することによって脈動ジェット水流を発生させて、吐き出す頭皮洗浄器において、
前記ピストンの吸い込み・吐き出しの位置が、それぞれ、１サイクル（３６０度）／ポンプ数ｎずつずらした等分配置されているポンプを備えたことを特徴とする頭皮洗浄器。
【発明の詳細な説明】
【０００１】
【発明の属する技術分野】
本発明は、頭皮洗浄、口腔洗浄、ボディシャワーなどに利用可能な洗浄器用ポンプおよび頭皮洗浄器に関する。
【０００２】
【従来の技術】
従来より、洗浄効率やマッサージ効果、およびその利便性、快適性などに優れた頭皮洗浄器が知られている。一般的に、このような頭皮洗浄器は、頭皮洗浄に使用する１回分の洗浄用水をタンクに貯水し、ポンプでタンク内に貯水されている洗浄用水を取り込んで加圧すると共に脈動を与えて脈動水流としてシャワーヘッドへ送水し、シャワーヘッドから洗浄用水を吐出する構成がとられている（たとえば、特許文献１参照。）。
【０００３】
図６に従来における洗浄用ポンプの構成を示す。図において、符号１は２基のピストン型ポンプを収容するポンプ筐体、符号１０，２０はポンプ、符号１１，２１はシリンダ、符号１２，２２は給水口、符号１３，２３は出水口、符号１４、２４はピストン、符号１５，２５はコンロッド、符号１６，２６はクランクギア、符号３０，４０はポンプ１０，２０それぞれを駆動するためにそれぞれ独立して設けられた駆動モータ、符号３１，４１はクランクギア１６，２６それぞれを駆動するための駆動ギアである。
【０００４】
この図６に示すポンプ構造は、２基のポンプ１０，２０のピストン駆動を、それぞれのクランクギア１６，２６に駆動モータ３０，４０の駆動ギア３１，４１を噛合させ、各駆動モータ３０，４０によって単独で行なうものである。
【０００５】
【特許文献１】
特開平１１−１９６９２５号公報
【０００６】
【発明が解決しようとする課題】
しかしながら、上記に示される特許文献１に開示されている従来の洗浄装置にあっては、多数のポンプをそれぞれの制御部を介して駆動してシャワーヘッドへ給水し、それぞれ対応した出水口から出水する構成とし、その出水タイミングを制御するため、電子制御といった制御手段が不可欠となり、コストアップを招来させていた。他方、図６に示す従来のポンプ構造にあっては、ポンプそれぞれの駆動を単独の駆動系で行なっているため、個々のポンプにおいて回転数の差、負荷の差などに起因するポンプ毎の周期差が生じ、その結果、うなり音やうなり振動が発生しやすいという問題点があった。
【０００７】
本発明は、上記に鑑みてなされたものであって、複数のポンプのピストンの駆動位相を等分化してうなり音やうなり振動の発生を低減すると共に、経済性に優れたポンプ構造を実現することを第１の目的とする。
【０００８】
また、複数のポンプのピストンの駆動位相を等分化してうなり音やうなり振動の発生を低減し、かつ経済性に優れたポンプを搭載した頭皮洗浄器を提供することを第２の目的とする。
【０００９】
【課題を解決するための手段】
上記の目的を達成するために、請求項１にかかる洗浄器用ポンプにあっては、クランクギアと、前記クランクギアの中心軸を偏心して回転するカムと、前記カムに取り付けられたコンロッドと、前記コンロッドに連接されたピストンと、を有するポンプを、少なくとも２つ以上配設した洗浄用ポンプにおいて、前記ピストンは、吸い込み・吐き出しの位置が、それぞれ、１サイクル（３６０度）／ポンプ数ｎずつずらした等分配置されているものである。
【００１０】
また、請求項２にかかる洗浄器用ポンプにあっては、並設された２基のポンプと、１つの駆動源と、前記駆動源の出力に設けられた駆動ギアと、を備え、前記ポンプそれぞれのクランクギア間に、前記駆動源の駆動ギアを噛合させたものである。
【００１１】
この発明によれば、請求項１において、駆動源を１つ配置し、並設された２基のポンプそれぞれのクランクギア間に、駆動源の駆動ギアを噛合させ、かつそれぞれのクランクギアの回転角を１８０度ずらすことにより、複数のポンプそれぞれのピストンの駆動位相を等分化することが可能になる。
【００１２】
また、請求項３にかかる洗浄器用ポンプにあっては、並設された２基のポンプと、１つの駆動源と、前記駆動源の出力に設けられた駆動ギアと、を備え、前記ポンプそれぞれのクランクギアを噛み合わせ、前記クランクギアのいずれか一方側に、前記駆動源の駆動ギアを噛合させたものである。
【００１３】
この発明によれば、請求項１において、駆動源を１つ配置し、並設された２基のポンプそれぞれのクランクギアを噛み合わせ、クランクギアのいずれか一方側に、駆動源の駆動ギアを噛合させ、かつそれぞれのクランクギアの回転角を１８０度ずらすことにより、複数のポンプそれぞれのピストンの駆動位相を等分化することが可能になる。
【００１４】
また、請求項４にかかる洗浄器用ポンプにあっては、対向して配置された２基のポンプと、１つの駆動源と、前記駆動源の出力に設けられた駆動ギアと、前記２基のポンプに連接される１つのクランクギアと、前記クランクギアの中心軸上に設けられた前記カムと、を備え、前記クランクギアに前記駆動源の駆動ギアを噛合させ、さらに前記２基のポンプのピストンそれぞれのコンロッドを前記カムに取り付けたものである。
【００１５】
この発明によれば、請求項１において、駆動源を１つ配置し、かつ、１つのクランクギアの同軸上に円柱カムを設け、クランクギアに前駆動源の駆動ギアを噛合させ、さらに対向する２基のポンプのピストンそれぞれのコンロッドを円柱カムに取り付け、この２基のポンプを対向して組み込むことにより、１つのクランクギア、円柱カムでの構造で、複数のポンプそれぞれのピストンの駆動位相を等分化することが可能になる。
【００１６】
また、請求項５にかかる洗浄器用ポンプにあっては、放射状に対向して配置された３基のポンプと、１つの駆動源と、１つのクランクギアと、前記クランクギアの中心軸上に設けられた前記カムと、を備え、前記クランクギアに前記駆動源の駆動ギアを噛み合わせ、前記クランクギアを介して対向する前記３基のポンプのピストンそれぞれを前記コンロッドを介して駆動するように構成したものである。
【００１７】
この発明によれば、請求項１において、駆動源を１つ配置し、３基のポンプを等分化した位置に放射状に対向させ、その中心に前記クランクギアを１つ設け、これに駆動源の駆動ギアを噛み合わせ、かつそれぞれのポンプの配置を１２０度ずつずらすことにより、１つのクランクギア、円柱カムでの構造で、３基のポンプそれぞれのピストンの駆動位相を等分化することが可能になる。
【００１８】
また、請求項６にかかる頭皮洗浄器にあっては、頭皮などを洗浄する場合に用いられ、洗浄用水を、ピストンがシリンダ内を移動することによって脈動ジェット水流を発生させて、吐き出す頭皮洗浄器において、前記ピストンの吸い込み・吐き出しの位置が、それぞれ、１サイクル（３６０度）／ポンプ数ｎずつずらした等分配置されているポンプを備えたものである。
【００１９】
この発明によれば、ピストンの吸い込み・吐き出しの位置が、それぞれ、１サイクル（３６０度）／ポンプ数ｎずつずらした等分配置されているポンプを備えたことにより、うなり音やうなり振動といった騒音を抑制することが可能になる。
【００２０】
【発明の実施の形態】
以下、本発明にかかる洗浄器用ポンプおよび頭皮洗浄器の好適な実施の形態について添付図面を参照し、詳細に説明する。なお、本発明はこの実施の形態に限定されるものではない。
【００２１】
本発明は、レシプロ型のポンプにより用水を吸い込み脈動ジェット水流を吐き出す洗浄用ポンプにおいて、ポンプを複数配置し、それぞれのポンプの吐出し駆動を等位相（３６０°／ポンプ数ｎ）ずつずらしたタイミングで行なうように構成し、かつ１つの駆動源・駆動ギアでクランクギアを駆動することにより、個々のポンプの回転数の差や負荷の差に起因するポンプ毎の周期差の発生を抑制し、うなり音やうなり振動を低減させるものである。以下、具体的に説明する。
【００２２】
（実施の形態１）
この実施の形態１では、２基のポンプを形成するピストン・クランク機構において、ピストンの往復駆動をそれぞれ１８０度位相ずらして等分化すると共に、２基のポンプのクランクギアの間に１つの駆動モータの駆動ギアを配置して噛合させたものである。
【００２３】
図１は、本発明の実施の形態１にかかる洗浄器用ポンプの要部構成を示す説明図である。図において、符号１００，２００はピストン構造をなすポンプ、符号１０１，２０１はシリンダ、符号１０２，２０２は給水口、符号１０３，２０３は出水口、符号１０４，２０４はピストン、符号１０５，２０５はコンロッド（連接棒）、符号１０６，２０６はクランクギア、符号１０７，２０７は円柱カム、符号１５０はＤＣモータによる駆動モータ、符号１５１は駆動ギアである。
【００２４】
この２基のポンプ１００，２００それぞれは、クランクギア１０６，２０６と、その回転中心に対して偏心させて配設された円柱カム１０７，２０７と、円柱カム１０７，２０７に取り付けられたコンロッド１０５，２０５と、コンロッド１０５，２０５の先端に取り付けられたピストン１０４，２０４と、を備えたピストン・クランク機構により構成される。
【００２５】
この実施の形態１では、２基のポンプ１００，２００に対し、その駆動中央部分に駆動モータ１５０および駆動ギア１５１を配置したものである。特に、２基のポンプ１００，２００のピストン１０４，２０４は、その駆動タイミングを１８０度位相ずらして配置されている。
【００２６】
すなわち、駆動モータ１５０の出力軸に取り付けられた駆動ギア１５１はクランクギア１０６，２０６に歯合し、両方を同時に駆動することができる。このときのピストン１０４，２０４それぞれの位置は、ピストン１０４がシリンダ１０１のか下死点、ピストン２０４が上死点であり、円柱カム１０７，２０７それぞれは、クランクギア１０６，２０６の回転角として１８０度位相ずれた形で組み込まれている。
【００２７】
このように、ピストン１０４，２０４の駆動位相を等分化（本例では、１８０度ずつずらす）することにより、従来における回転数の差や負荷の差によるポンプ毎の周期差が排除されるため、うなり音やうなり振動といった不具合の発生を低減することができる。また、ピストン１０４，２０４を駆動するクランクギア１０６，２０６を１つの駆動モータ１５０の駆動ギア１５１に噛み合わせて駆動することにより、組立て時の駆動位相の設定が容易に行なえ、経済的な構成での低騒音化が実現する。
【００２８】
（実施の形態２）
この実施の形態２では、２基のポンプを形成するピストン・クランク機構において、ピストンの往復駆動をそれぞれ１８０度位相ずらして等分化すると共に、２基のポンプのクランクギア同士を噛合させ、いずれか一方のクランクギアに１つの駆動モータの駆動ギアを配置して噛合させたものである。
【００２９】
図２は、本発明の実施の形態２にかかる洗浄器用ポンプの要部構成を示す説明図である。なお、この洗浄器用ポンプの各部品（構成要素）は、前述した図１と同じであるので、同一符号を付し、その説明は省略する。
【００３０】
この実施の形態２では、ポンプ１００のクランクギア１０６とポンプ２００のクランクギア２０６とを噛み合わせ、クランクギア１０６に駆動モータ１５０の駆動ギア１５１を噛合させたものである。また、実施の形態１と同様に、２基のポンプ１００，２００のピストン１０４，２０４は、その駆動タイミングを１８０度位相ずらして配置されている。
【００３１】
すなわち、駆動モータ１５０の出力軸に取り付けられた駆動ギア１５１は、ポンプ１００のクランクギア１０６に噛み合い、さらにクランクギア１０６とクランクギア２０６とが噛み合い、同時に駆動するように構成する。このとき、実施の形態１と同様に、ピストン１０４，２０４のそれぞれの位置は、ピストン１０４がシリンダ１０１の下死点、ピストン２０４がシリンダ２０１の上死点である、円柱カム１０７，２０７は、クランクギアの回転角として１８０度位相がずれた位置で組み込まれている。
【００３２】
したがって、実施の形態１と同様に、ピストン１０４，２０４の駆動位相を等分化（本例では、１８０度ずつずらす）することにより、従来における回転数の差や負荷の差によるポンプ毎の周期差が排除されるため、うなり音やうなり振動といった不具合の発生を低減することができる。また、ピストン１０４，２０４を駆動するクランクギア１０６，２０６のいずれかに対し、１つの駆動モータ１５０の駆動ギア１５１に噛み合わせて駆動することにより、組立て時の駆動位相の設定が容易に行なえ、経済的な構成での低騒音化が実現する。
【００３３】
（実施の形態３）
この実施の形態３は、クランクギアを１つ設け、これに駆動ギアを噛み合わせ、さらにこの１つのクランクギアを介して対向する２基のポンプのピストンそれぞれをコンロッドを介して駆動するように構成するものである。
【００３４】
図３は、本発明の実施の形態３にかかる洗浄器用ポンプの要部構成を示す説明図である。なお、この洗浄器用ポンプの各部品（構成要素）において、前述した図１と同じである部分については、同一符号を付し、その説明は省略する。
【００３５】
図３において、１つのクランクギア１２０の同軸上に円柱カム１２１を設け、このクランクギア１２０に駆動モータ１５０の駆動ギア１５１を噛合させ、さらにポンプ１００，２００のピストン１０４，２０４それぞれのコンロッド１０５，２０５を円柱カム１２１に取り付ける。
【００３６】
すなわち、駆動モータ１５０の出力軸に取り付けられた駆動ギア１５１はクランクギア１２０に噛み合い、その円柱カム１２１にコンロッド１０５，２０５が取り付き、対向した位置に配置されたポンプ１００，２００を同時に駆動する構成する。なお、上述した実施の形態と同様に、ピストン１０４，２０４のそれぞれの位置は、ピストン１０４がシリンダ１０１の下死点、ピストン２０４がシリンダ２０１の上死点である、円柱カム１２１に対し、ポンプ１００，２００が対向して組み込まれている。
【００３７】
したがって、上述した実施の形態１、２と同様に、ピストン１０４，２０４の駆動位相を等分化（本例では、１８０度ずつずらす）することにより、従来における回転数の差や負荷の差によるポンプ毎の周期差が排除されるため、うなり音やうなり振動といった不具合の発生を低減することができる。また、ピストン１０４，２０４を駆動するクランクギア１２０を１つとし、これに１つの駆動モータ１５０の駆動ギア１５１に噛み合わせて駆動することにより、組立て時の駆動位相の設定が容易に行なえ、クランクギアの数が減るため、さらに経済的な構成での低騒音化が実現する。
【００３８】
（実施の形態４）
この実施の形態４は、３基のポンプを等分化した位置に放射状に対向させ、その中心にクランクギアを１つ設け、これに駆動モータの駆動ギアを噛み合わせ、さらにこの１つのクランクギアを介して対向する３基のポンプのピストンそれぞれをコンロッドを介して駆動するように構成するものである。
【００３９】
図４は、本発明の実施の形態４にかかる洗浄器用ポンプの要部構成を示す説明図である。なお、この洗浄器用ポンプの各部品（構成要素）において、前述した図３と同じである部分については、同一符号を付し、その説明は省略する。
【００４０】
図４に示すように、３基のポンプ１００，２００，３００を等分化した位置に放射上に対向させる。さらにこれらのポンプ１００，２００，３００の中心にクランクギア１２０を１つ設け、これに駆動モータの駆動ギアを噛み合わせ、さらにこの１つのクランクギア１２０を介して対向する３基のポンプ１００，２００，３００のピストン１０４，２０４，３０４それぞれをコンロッド１０５，２０５，３０５を介して駆動するように構成するものである。
【００４１】
すなわち、駆動モータ１５０の出力軸に取り付けられた駆動ギア１５１は、クランクギア１２０に噛み合い、その円柱カム１２１にコンロッド１０５，２０５，３０５を取り付け、等分割した位置に配置された３基のポンプ１００，２００，３００を同時に駆動する構成とする。このとき、ピストン１０４，２０４，３０４は、位相角を等分化されて配設されている。このピストン１０４，２０４，３０４をクランクギア１２０の回転角としては、１２０度位相がずれた状態となる。
【００４２】
したがって、３基のポンプ１００，２００，３００を等分化した位置に放射状に対向させ、その中心にクランクギア１２０を１つ設け、これに駆動モータ１５０の駆動ギア１５１を噛合させ、さらにこの１つのクランクギア１２０を介して対向する３基のポンプ１００，２００，３００のピストン１０４，２０４，３０４それぞれをコンロッド１０５，２０５，３０５を介して駆動するように構成することにより、３基のポンプ１００，２００，３００を１つのクランクギア１２０、駆動ギア１５１で駆動することができるため、経済性が向上すると共に、従来における回転数の差や負荷の差によるポンプ毎の周期差が排除されるため、うなり音やうなり振動などの発生を抑制することができる。
【００４３】
（頭皮洗浄器の構成、動作）
つぎに、上述した実施の形態１〜４のように構成されたポンプを頭皮洗浄器に搭載した例について述べる。
【００４４】
図５は、頭皮洗浄器内部の概略構成を示すブロック図であり、図１〜図４の何れか一つのポンプを搭載したものである。図において、この頭皮洗浄器は、洗浄用水を貯水するタンク３０１と、タンク３０１から洗浄用水を取り込んで加圧すると共に脈動を与えて脈動水流として送水するポンプ部３０２と、ポンプ部３０２から送出された洗浄用水を導水する配管３０３と、配管３０３で導水された洗浄用水を導水するフレキシブルチューブ３０４と、フレキシブルチューブ３０４で導水された洗浄用水を吐出するノズルヘッド３０５と、ポンプ部３０２を駆動して洗浄用水の吐出制御を行なう吐出制御部３０６と、装置全体へ電源を供給するバッテリ３１０と、を備えている。
【００４５】
また、符号３０７はタンク３０１とポンプ部３０２との間の流路である配管を示している。また、配管３０３は、フレキシブルチューブ３０４との結合部３０３ａを有している。フレキシブルチューブ３０４は、配管３０３との結合部３０４ａを有している。
【００４６】
つぎに、以上のように構成された頭皮洗浄器の動作について説明する。この頭皮洗浄器を用いて洗浄を行なう場合、ユーザは、電源スイッチ（図示せず）を操作して電源を投入する。電源が投入されると、吐出制御部３０６は、バッテリ３１０からポンプ部３０２へ電源を供給し、ポンプ部３０２を駆動する。ポンプ部３０２は、タンク３０１から給水された洗浄用水を所定の圧力で加圧し、フレキシブルチューブ３０４を経由してノズルヘッド３０５へ洗浄用水を送水する。ノズルヘッド３０５からは、洗浄用水がシャワー状に吐出され、ユーザは頭皮を洗浄する。
【００４７】
【発明の効果】
以上説明したように、本発明にかかる洗浄用ポンプ（請求項１）によれば、複数のポンプそれぞれのピストンの駆動位相を等分化したので、従来において単独で非等分で駆動するポンプ毎の周期差によって発生していたうなり音やうなり振動を低減することが可能になり、低騒音の洗浄用ポンプが実現する。
【００４８】
また、本発明にかかる洗浄用ポンプ（請求項２）によれば、請求項１において、駆動源を１つ配置し、並設された２基のポンプそれぞれのクランクギア間に、駆動源の駆動ギアを噛合させ、かつそれぞれのクランクギアの回転角を１８０度ずらすことにより、複数のポンプそれぞれのピストンの駆動位相を等分化することが可能になるので、うなり音やうなり振動が低減すると共に、経済的低騒音の洗浄用ポンプが実現する。
【００４９】
また、本発明にかかる洗浄用ポンプ（請求項３）によれば、請求項１において、駆動源を１つ配置し、並設された２基のポンプそれぞれのクランクギアを噛み合わせ、クランクギアのいずれか一方側に、駆動源の駆動ギアを噛合させ、かつそれぞれのクランクギアの回転角を１８０度ずらすことにより、複数のポンプそれぞれのピストンの駆動位相を等分化することが可能になるので、うなり音やうなり振動が低減すると共に、経済的で低騒音の洗浄用ポンプが実現する。
【００５０】
また、本発明にかかる洗浄器用ポンプ（請求項４）によれば、請求項１において、駆動源を１つ配置し、かつ、１つのクランクギアの同軸上に円柱カムを設け、クランクギアに前駆動源の駆動ギアを噛合させ、さらに対向する２基のポンプのピストンそれぞれのコンロッドを円柱カムに取り付け、この２基のポンプを対向して組み込むことにより、１つのクランクギア、円柱カムでの構造で、複数のポンプそれぞれのピストンの駆動位相を等分化することが可能になるので、うなり音やうなり振動が低減すると共に、経済的低騒音の洗浄用ポンプが実現する。
【００５１】
また、本発明にかかる洗浄器用ポンプ（請求項５）によれば、請求項１において、駆動源を１つ配置し、３基のポンプを等分化した位置に放射状に対向させ、その中心に前記クランクギアを１つ設け、これに駆動源の駆動ギアを噛み合わせ、かつそれぞれのポンプの配置を１２０度ずつずらすことにより、１つのクランクギア、円柱カムでの構造で、３基のポンプそれぞれのピストンの駆動位相を等分化することが可能になるので、うなり音やうなり振動が低減すると共に、経済的で低騒音の洗浄用ポンプが実現する。
【００５２】
また、本発明にかかる頭皮洗浄器（請求項６）によれば、請求項１〜５の何れか一つに記載の洗浄器用ポンプを頭皮洗浄器に用いることにより、うなり音やうなり振動といった騒音が抑制された頭皮洗浄器を提供することができる。
【図面の簡単な説明】
【図１】本発明の実施の形態１にかかる洗浄器用ポンプの要部構成を示す説明図である。
【図２】本発明の実施の形態２にかかる洗浄器用ポンプの要部構成を示す説明図である。
【図３】本発明の実施の形態３にかかる洗浄器用ポンプの要部構成を示す説明図である。
【図４】本発明の実施の形態４にかかる洗浄器用ポンプの要部構成を示す説明図である。
【図５】頭皮洗浄器内部の概略構成を示すブロック図である。
【図６】従来における洗浄器用ポンプの要部構成を示す説明図である。
【符号の説明】
１００，２００，３００　ポンプ
１０１，２０１，３０１　シリンダ
１０４，２０４　ピストン
１０５，２０５，３０５　コンロッド
１０６，２０６，１２０　クランクギア
１０７，２０７，１２１　円柱カム
１５０　駆動モータ
１５１　駆動ギア
【図１】
2004144022.tif 000003
【図２】
2004144022.tif 000004
【図３】
2004144022.tif 000005
【図４】
2004144022.tif 000006
【図５】
2004144022.tif 000007
【図６】
2004144022.tif 000008